(57)【要約】  送風装置（１０１）は、空気の流入口（１１）および吹出口（１２）を有する筐体（１）と、筐体（１）の内部に配置された送風ファン（５）と、流入口（１１）を覆って筐体（１）に着脱可能に取り付けられ、流入口（１１）の外側に第１空間（２０）を規定し、第１空間（２０）への空気の吸込口を有するカバー部材（２）と、第１空間（２０）内またはカバー部材（２）の外側に配置された二酸化炭素発生剤（１７）とを備える。
2018235305.tif 000002
【特許請求の範囲】
【請求項１】
空気の流入口および吹出口を有する筐体と、
前記筐体の内部に配置された送風ファンと、
前記流入口を覆って前記筐体に着脱可能に取り付けられ、前記流入口の外側に第１空間を規定し、前記第１空間への空気の吸込口を有するカバー部材と、
前記第１空間内または前記カバー部材の外側に配置された二酸化炭素発生剤とを備える、送風装置。
【請求項２】
前記二酸化炭素発生剤は、前記カバー部材の前記第１空間内の上部に配置されている、請求項１に記載の送風装置。
【請求項３】
前記二酸化炭素発生剤は、刺激を受けることにより二酸化炭素を発生する物質を含む、請求項１または２に記載の送風装置。
【請求項４】
前記二酸化炭素発生剤に刺激を与えることにより二酸化炭素を発生させ、前記吸込口から二酸化炭素を排出する蚊誘引モードと、前記送風ファンによって前記吸込口から空気を吸い込むことによって、前記第１空間内に入った蚊が前記第１空間から出ることを抑制する蚊捕集モードとを備える、請求項１から３のいずれかに記載の送風装置。
【請求項５】
前記刺激は、光の照射または水分の供給である、請求項４に記載の送風装置。
【発明の詳細な説明】
【技術分野】
【０００１】
本発明は、送風装置に関するものである。本出願は、２０１７年６月２２日に出願した日本特許出願である特願２０１７−１２２２２５号に基づく優先権を主張する。当該日本特許出願に記載された全ての記載内容は、参照によって本明細書に援用される。
【背景技術】
【０００２】
蚊誘引装置を備える空気清浄機の構成が、特開２００９−２５０４６３号公報（特許文献１）に記載されている。特許文献１では、蚊誘引装置の例として、炭酸ガスボンベとガス制御装置と発熱器と制御回路とを組み合わせたものが開示されている。
【先行技術文献】
【特許文献】
【０００３】
【特許文献１】特開２００９−２５０４６３号公報
【発明の概要】
【発明が解決しようとする課題】
【０００４】
炭酸ガスボンベ、ガス制御装置などは、比較的サイズが大きいので、空気清浄機内に設置するには不利であった。炭酸ガスボンベに蓄えられた炭酸ガスが無くなった場合には、炭酸ガスボンベを交換することが必要となり、不便であった。【０００５】
そこで、本発明は、コンパクトな構成でありながら蚊を誘引することができる送風装置を提供することを目的とする。
【課題を解決するための手段】
【０００６】
上記目的を達成するため、本発明に基づく送風装置は、空気の流入口および吹出口を有する筐体と、上記筐体の内部に配置された送風ファンと、上記流入口を覆って上記筐体に着脱可能に取り付けられ、上記流入口の外側に第１空間を規定し、上記第１空間への空気の吸込口を有するカバー部材と、上記第１空間内または上記カバー部材の外側に配置された二酸化炭素発生剤とを備える。
【発明の効果】
【０００７】
本発明によれば、第１空間内またはカバー部材の外側に配置された二酸化炭素発生剤を備えるので、二酸化炭素を発生させることができる。蚊は二酸化炭素に誘引される性質があるので、コンパクトな構成でありながら蚊を誘引することができる送風装置を実現することができる。
【図面の簡単な説明】
【０００８】
【図１】本発明に基づく実施の形態１における送風装置の斜視図である。
【図２】本発明に基づく実施の形態１における送風装置の断面図である。
【図３】本発明に基づく実施の形態２における送風装置の断面図である。
【図４】本発明に基づく実施の形態３における送風装置の断面図である。
【図５】本発明に基づく実施の形態４における送風装置の断面図である。
【図６】本発明に基づく実施の形態４における送風装置の変形例の断面図である。
【図７】本発明に基づく実施の形態５における送風装置の蚊誘引モードの説明図である。
【図８】本発明に基づく実施の形態５における送風装置の蚊捕集モードの説明図である。
【図９】本発明に基づく実施の形態６における送風装置の断面図である。
【図１０】本発明に基づく実施の形態７における送風装置の断面図である。
【図１１】図１０におけるＺ部の部分拡大図である。
【図１２】本発明に基づく実施の形態７における送風装置において、フィルタにホコリがたまって笛が鳴る状態の説明図である。
【図１３】本発明に基づく実施の形態７における送風装置において、蓋が閉められて笛が鳴らない状態の説明図である。
【発明を実施するための形態】
【０００９】
（実施の形態１）
図１〜図２を参照して、本発明に基づく実施の形態１における送風装置１０１について説明する。送風装置１０１の外観の斜視図を図１に示す。送風装置１０１の断面図を図２に示す。送風装置１０１は、空気の流入口１１および吹出口１２を有する筐体１と、筐体１の内部に配置された送風ファン５と、流入口１１を覆って筐体１に着脱可能に取り付けられ、流入口１１の外側に第１空間２０を規定し、第１空間２０への空気の吸込口１３を有するカバー部材２と、第１空間２０内またはカバー部材２の外側に配置された二酸化炭素発生剤１７とを備える。本実施の形態では、第１空間２０内に二酸化炭素発生剤１７が配置されている。
【００１０】
二酸化炭素発生剤１７は、公知技術に基づくものであってよい。二酸化炭素発生剤１７は、たとえばブロック状のものであってもよい。二酸化炭素発生剤１７は、たとえば粉末状のものを袋に入れたものであってもよい。
【００１１】
本実施の形態では、送風装置１０１は、第１空間２０内またはカバー部材２の外側に配置された二酸化炭素発生剤１７を備えるので、二酸化炭素を発生させることができる。蚊は二酸化炭素に誘引される性質があるので、本実施の形態における送風装置１０１は、コンパクトな構成でありながら蚊を誘引することができる。本実施の形態における送風装置１０１は、蚊に限らず、二酸化炭素に誘引される性質の虫を誘引することができる。二酸化炭素に誘引される性質の虫としては、たとえばアブ、ブユなどを挙げることができる。
【００１２】
図２に示したように、二酸化炭素発生剤１７は、カバー部材２の第１空間２０内の上部に配置されていることが好ましい。二酸化炭素は空気より重いので、下に流れる傾向がある。本実施の形態で示したように、二酸化炭素発生剤１７が第１空間２０内の上部に配置されていれば、二酸化炭素発生剤１７から発生した二酸化炭素は、第１空間２０の全体に容易に広がることができる。
【００１３】
（実施の形態２）
図３を参照して、本発明に基づく実施の形態２における送風装置１０２について説明する。送風装置１０２においては、二酸化炭素発生剤１７はカバー部材２の内側の面に支持されている。他の構成は、実施の形態１で説明したのと同様である。
【００１４】
本実施の形態においても、実施の形態１と同様の効果を得ることができる。本実施の形態では、二酸化炭素発生剤１７がカバー部材２によって支持されているので、カバー部材２を筐体１から取り外した際には、二酸化炭素発生剤１７はカバー部材２と一体となって取り出すことができる。したがって、本実施の形態では、二酸化炭素発生剤１７のメンテナンスが行ないやすい。二酸化炭素発生剤１７はカバー部材２の内側の面に配置されているので、送風装置１０２を外から見たときには二酸化炭素発生剤１７が見えることなく、送風装置１０２の外観をすっきりさせることができる。
【００１５】
（実施の形態３）
図４を参照して、本発明に基づく実施の形態３における送風装置１０３について説明する。送風装置１０３においては、二酸化炭素発生剤１７はカバー部材２の外側の面に支持されている。他の構成は、実施の形態１で説明したのと同様である。図４では、二酸化炭素発生剤１７はほぼ長方形の単純な形状で示されているが、これはあくまで模式的に示したものであり、実際の二酸化炭素発生剤１７の形状はこのようなものに限らない。
【００１６】
本実施の形態においても、実施の形態１と同様の効果を得ることができる。本実施の形態では、二酸化炭素発生剤１７がカバー部材２の外側の面に配置されているので、カバー部材２を筐体１から取り外さなくても二酸化炭素発生剤１７にアクセスすることが容易となり、二酸化炭素発生剤１７のメンテナンスが行ないやすい。たとえば二酸化炭素発生剤１７の状態を確認したり二酸化炭素発生剤１７を交換したりすることが容易となる。二酸化炭素発生剤１７がカバー部材２の外側の面に配置されているので、発生した二酸化炭素を送風装置１０３の周辺に直接送り出すことができ、送風装置１０３の周辺の二酸化炭素濃度を高めることができる。これによって、蚊の効率的な誘引を図ることができる。
【００１７】
（実施の形態４）
図５を参照して、本発明に基づく実施の形態４における送風装置１０４について説明する。送風装置１０４においては、二酸化炭素発生剤１７は、刺激を受けることにより二酸化炭素を発生する物質を含む。このような二酸化炭素発生剤１７は、公知技術により実現することができる。図５に示した例では、二酸化炭素発生剤１７は光触媒を含み、光を受けることにより二酸化炭素を発生する性質を有する。ここでいう光触媒としては、たとえば二酸化チタンを利用することができる。送風装置１０４においては、第１空間２０の内部に二酸化炭素発生剤１７が配置されており、二酸化炭素発生剤１７の近傍に光源１８が配置されている。光源１８は、光３１を二酸化炭素発生剤１７に向けて照射することができるように配置されている。
【００１８】
本実施の形態では、光源１８から光３１を二酸化炭素発生剤１７に向けて照射することができるので、二酸化炭素発生剤１７は光３１を受けることによって二酸化炭素を発生する。この構成を採用することにより、必要に応じて二酸化炭素発生剤１７に刺激を与え、二酸化炭素を発生させることができる。二酸化炭素を発生させる必要がないときには、二酸化炭素発生剤１７に刺激を与えないでおくことにより、二酸化炭素発生剤１７の無用な消耗を避けることができる。二酸化炭素発生剤１７が紫外光を照射されることによって二酸化炭素を発生させる性質を有するものであるときには、照射する光は単なる光ではなく、紫外光であってもよい。ここでは、刺激の一例として、刺激が光である例を示したが、光に限らず他の種類の刺激であってもよい。
【００１９】
本実施の形態における送風装置の変形例としての送風装置１０５を図６に示す。送風装置１０５においては、二酸化炭素発生剤１７はカバー部材２に設置されており、光源１８は筐体１に配置されている。このような構成であってもよい。光源１８から発せられた光３１はカバー部材２に設置された二酸化炭素発生剤１７に入射し、二酸化炭素発生剤１７から二酸化炭素が発生する。
【００２０】
（実施の形態５）
図７〜図８を参照して、本発明に基づく実施の形態５における送風装置について説明する。本実施の形態における送風装置は、二酸化炭素発生剤１７に刺激を与えることにより二酸化炭素を発生させ、図７に示すように吸込口１３から二酸化炭素を排出する蚊誘引モードと、送風ファン５（図５、図６参照）によって図８に示すように吸込口１３から空気を吸い込むことによって、第１空間２０内に入った蚊が第１空間２０から出ることを抑制する蚊捕集モードとを備える。
【００２１】
本実施の形態では、送風装置が蚊誘引モードと蚊捕集モードとの両方を備えるので、蚊を誘引しておいて捕集するという一連の動作を効率良く行なうことができる。蚊誘引モードでは、図７に示すように二酸化炭素を吸込口１３から排出することを目的とするので、流入口１１から吹出口１２に向かう空気の流れはない方が好ましい。したがって、蚊誘引モードでは、送風ファン５は停止しておくことが好ましい。蚊捕集モードでは、送風ファン５を動作させることによって吸込口１３から空気を吸い込むので、送風ファン５停止時に比べれば、吸込口１３から外に出る二酸化炭素の量が減少する。したがって、二酸化炭素発生剤１７の無用な消耗を抑えるために、蚊捕集モードでは二酸化炭素発生剤１７に刺激を与えることは停止しておくことが好ましい。ただし、蚊捕集モードの間も二酸化炭素発生剤１７に刺激を与え続けてもよい。蚊捕集モードとして送風ファン５を動作させている間も二酸化炭素発生剤１７から二酸化炭素を発生させ続けた場合であっても、一部の二酸化炭素は流入口１１から筐体１内へと入って吹出口１２から排出されるので、送風装置周辺の二酸化炭素濃度を比較的高く保つことが可能である。送風装置周辺の二酸化炭素濃度を比較的高く保つことによって、蚊の誘引を促進することができる。
【００２２】
（実施の形態６）
図９を参照して、本発明に基づく実施の形態６における送風装置１０６について説明する。送風装置１０６においては、二酸化炭素発生剤１７は水分を付与されることにより二酸化炭素を発生する性質を有する。送風装置１０６においては、第１空間２０の内部に二酸化炭素発生剤１７が配置されており、二酸化炭素発生剤１７の近傍に水供給部１９が配置されている。水供給部１９は、水滴３２を二酸化炭素発生剤１７に向けて滴下することができるように配置されている。水供給部１９は水を運ぶ管を含んでいてもよい。水供給部１９は、予め水を貯えておく容器を備えていてもよい。送風装置１０６が空気中の水分から水滴を作り出す機能を備える場合には、水供給部１９は、作り出された水滴を二酸化炭素発生剤１７の近傍に導く構造であってもよい。
【００２３】
本実施の形態では、水供給部１９から水滴３２を二酸化炭素発生剤１７に向けて滴下することができるので、二酸化炭素発生剤１７は水滴３２を受けることによって二酸化炭素を発生させる。この構成を採用することにより、必要に応じて二酸化炭素発生剤１７に刺激を与え、二酸化炭素を発生させることができる。
【００２４】
実施の形態４および６で示したように、二酸化炭素発生剤に二酸化炭素を発生させるための刺激は、光の照射または水分の供給であってよい。
【００２５】
（実施の形態７）
図１０〜図１３を参照して、本発明に基づく実施の形態７における送風装置について説明する。この送風装置の横断面図を図１０に示す。この図は、送風装置を水平な断面で切ったものであり、主要部のみを表示している。筐体１の背面側にフィルタ４が設置されている。フィルタ４から離隔してフィルタ４を覆うようにカバー部材２が着脱自在に取り付けられている。フィルタ４の脇のＺ部を拡大したところを図１１に示す。
【００２６】
図１１に示すように、筐体１の内側に壁４１が設けられることによって、筐体１の内部空間の一部が空間４０として区画されている。筐体１はフィルタ４が設置されている流入口１１とは別に開口部４４を有する。開口部４４には笛４３が配置されている。笛４３は、開口部４４を通過する空気の全てが笛４３を通過するように配置されている。開口部４４の笛４３より外側には開閉可能な蓋４５が配置されている。壁４１は開口部４２を有する。開口部４４および笛４３を通って空間４０に入ってきた空気は開口部４２を通って空間４０から出ていくことができるように構成されている。
【００２７】
この送風装置においては、図１２に示すように、フィルタ４にホコリ３５がたまって空気がフィルタ４を通りにくくなってきた場合には、開口部４２および開口部４４を通じて空気が筐体１内に入ろうとする。これにより、開口部４４を通る空気が増える。開口部４４を通った空気は笛４３を通過するので、笛４３が鳴る。ユーザは笛４３の音を聞いたときには、フィルタ４が掃除すべき状態にあることを知る。ユーザがフィルタ４の掃除をすぐには開始できないが笛４３の音を止めたい場合には、図１３に示すように、ユーザは蓋４５を閉めればよい。蓋４５を閉めることによって笛４３に空気が通らなくなり、笛４３の音は鳴らなくなる。フィルタ４においてもまだ完全に目詰まりしたわけではなく、一部の空気は通ることができるので、蓋４５を閉めた後の状態でも送風装置を使用することはできる。
【００２８】
なお、上記実施の形態のうち複数を適宜組み合わせて採用してもよい。
なお、今回開示した上記実施の形態はすべての点で例示であって制限的なものではない。本発明の範囲は請求の範囲によって示され、請求の範囲と均等の意味および範囲内でのすべての変更を含むものである。
【符号の説明】
【００２９】
１  筐体、２  カバー部材、３  操作パネル、４  フィルタ（プレフィルタ）、５  送風ファン、６  ＨＥＰＡフィルタ、１１  流入口、１２  吹出口、１３  吸込口、１７  二酸化炭素発生剤、１８  光源、１９  水供給部、２０  第１空間、３１  光、３２  水滴、３５  ホコリ、４０  空間、４１  壁、４２  開口部、４３  笛、４４  開口部、４５  蓋、１０１，１０２，１０３，１０４，１０５  送風装置。
【図１】
2018235305.tif 000003
【図２】
2018235305.tif 000004
【図３】
2018235305.tif 000005
【図４】
2018235305.tif 000006
【図５】
2018235305.tif 000007
【図６】
2018235305.tif 000008
【図７】
2018235305.tif 000009
【図８】
2018235305.tif 000010
【図９】
2018235305.tif 000011
【図１０】
2018235305.tif 000012
【図１１】
2018235305.tif 000013
【図１２】
2018235305.tif 000014
【図１３】
2018235305.tif 000015
【国際調査報告】
2018235305.tif 000016
2018235305.tif 000017
2018235305.tif 000018
2018235305.tif 000019